(57)【要約】【課題】結像性能の高性能化及び光学全長の短縮化を図った撮像光学系を提供する。【解決手段】物体側から順に、開口絞りと、正の屈折力を有する第１レンズと、負の屈折力を有する第２レンズと、正の屈折力を有する第３レンズと、負の屈折力を有する第４レンズと、からなり、以下の条件式を満足するものである。２．０＜ｒ５/ｆ＜６．０           （１）０．１０＜ｄ７/ｆ＜０．２０             （２）ここで、ｒ５は第２レンズの像面側の曲率半径、ｄ７は第３レンズと第４レンズの光軸上の空気間隔、ｆは撮像光学系全系の焦点距離である。【選択図】図１
2014142554.tif 000002
【特許請求の範囲】
【請求項１】
固体撮像素子上に被写体像を結像させる撮像光学系であって、
物体側から順に
開口絞りと、
正の屈折力を有する第１レンズと
負の屈折力を有する第２レンズと、
正の屈折力を有する第３レンズと、
負の屈折力を有する第４レンズと、
からなり
以下の条件式を満足すること特徴とする撮像光学系。
２．０＜ｒ５/ｆ＜６．０           （１）
０．１０＜ｄ７/ｆ＜０．２０             （２）
ここで、
ｒ５は第２レンズの像面側の曲率半径、
ｄ７は第３レンズと第４レンズの光軸上の空気間隔、
ｆは撮像光学系全系の焦点距離
である。
【請求項２】
以下の条件式を満足することを特徴とする請求項１に記載の撮像光学系。
−０．７＜（ｒ４＋ｒ５）／（ｒ４−ｒ５）＜−０．１     （３）
ここで、
ｒ４は第２レンズの物体側の曲率半径、
ｒ５は第２レンズの像側の曲率半径
である。
【請求項３】
請求項１から請求項２のいずれか１項に記載の撮像光学系と、固体撮像素子と、オートフォーカス機構とを備えた事を特徴とする撮像装置。
【請求項４】
前記撮像光学系は、フォーカシング時に前記第１レンズのみを光軸方向に移動させることを特徴とする請求項３に記載の撮像装置。
【請求項５】
前記オートフォーカス機構が前記第２レンズより物体側の前記第１の外周に配置されることを特徴とする請求項４に記載の撮像装置。
【発明の詳細な説明】
【技術分野】
【０００１】
本発明は、撮像光学系及びそれを有する撮像装置に関する。
【背景技術】
【０００２】
近年、携帯電話、携帯端末機などの薄型化、タブレット端末の普及に伴い、これらが備えるカメラモジュールの光学系を極限まで薄型化することが求められている。また、撮像素子の高画素数化から、これらの光学系には高い解像度が求められている。
このような要求に応えるために、非球面レンズ４枚で構成された単焦点の光学系が数多く提案されている（例えば、特許文献１）。
また、カメラモジュールに対する高機能化の要望から、これらのカメラモジュールにはオートフォーカス機構（以下、ＡＦ機構という。）を備えたものが普及している（例えば、特許文献２）。
【先行技術文献】
【特許文献】
【０００３】
【特許文献１】特開２００７−２１９０７９号公報
【特許文献２】特開２００７−４７２６６号公報
【発明の概要】
【発明が解決しようとする課題】
【０００４】
しかしながら、従来の光学系では、結像性能を高めながら、更なる光学全長の短縮化を図る観点で改善の余地がある。
さらに、オートフォーカス機構を備えたこれらのカメラモジュールに対しても、光学全長の短縮化と、良好な収差補正の両立が求められている。
【０００５】
本発明は上記従来における問題点を解決し、以下の目的を達成することを課題とする。即ち、本発明は、結像性能の高性能化及び光学全長の短縮化を図った撮像光学系を提供することを目的とする。
さらに、オートフォーカス機構を備えたカメラモジュールに対しても、光学全長の短縮化と、良好な収差補正の両立を図った撮像光学系及びそれを有する撮像装置を提供することを目的とする。
【課題を解決するための手段】
【０００６】
上記課題を解決するための手段としては、以下の通りである。即ち、本発明は、固体撮像素子上に被写体像を結像させる撮像光学系であって、
物体側から順に
開口絞りと、
正の屈折力を有する第１レンズと
負の屈折力を有する第２レンズと、
正の屈折力を有する第３レンズと、
負の屈折力を有する第４レンズと、
からなり
以下の条件式を満足すること特徴とする撮像光学系。
２．０＜ｒ５/ｆ＜６．０           （１）
０．１０＜ｄ７/ｆ＜０．２０             （２）
ここで、
ｒ５は第２レンズの像面側の曲率半径、
ｄ７は第３レンズと第４レンズの光軸上の空気間隔、
ｆは撮像光学系全系の焦点距離
である。
【０００７】
また、本発明の撮像光学系において、以下の条件式を満足することが好ましい。
−０．７＜（ｒ４＋ｒ５）／（ｒ４−ｒ５）＜−０．１     （３）
ここで、
ｒ４は第２レンズの物体側の曲率半径、
ｒ５は第２レンズの像側の曲率半径
である。
【０００８】
また、本発明の撮像装置において、前記撮像光学系と、固体撮像素子と、オートフォーカス機構とを備えることが好ましい。
【０００９】
また、本発明の撮像装置において、前記撮像光学系は、フォーカス時に前記第１レンズのみを光軸方向に移動させることが好ましい。
【００１０】
また、本発明の撮像装置において、前記オートフォーカス機構が前記第２レンズより物体側の前記第１の外周に配置されることが好ましい。
【発明の効果】
【００１１】
本発明によれば、結像性能の高性能化及び光学全長の短縮化の両立を図ることができるという効果を奏する。
さらには、オートフォーカス機構を備えたカメラモジュールに対しても、光学全長の短縮化と、良好な収差補正の両立を図ることができるという効果を奏する。
【図面の簡単な説明】
【００１２】
【図１】本発明の実施例１にかかる撮像光学系の無限遠物点合焦時の光学構成を示す光軸に沿う断面図である。
【図２】実施例１にかかる撮像光学系の無限遠物点合焦時における球面収差（ＳＡ）、非点収差（ＡＳ）、歪曲収差（ＤＴ）を示す図である。
【図３】本発明の実施例２にかかる撮像光学系の無限遠物点合焦時の光学構成を示す光軸に沿う断面図である。
【図４】実施例２にかかる撮像光学系の無限遠物点合焦時における球面収差（ＳＡ）、非点収差（ＡＳ）、歪曲収差（ＤＴ）を示す図である。
【図５】本発明の実施例３にかかる撮像光学系の無限遠物点合焦時の光学構成を示す光軸に沿う断面図である。
【図６】実施例３にかかる撮像光学系の無限遠物点合焦時における球面収差（ＳＡ）、非点収差（ＡＳ）、歪曲収差（ＤＴ）を示す図である。
【図７】本発明の実施例４にかかる撮像光学系の無限遠物点合焦時の光学構成を示す光軸に沿う断面図である。
【図８】実施例４にかかる撮像光学系の無限遠物点合焦時における球面収差（ＳＡ）、非点収差（ＡＳ）、歪曲収差（ＤＴ）を示す図である。
【図９】本発明の実施の形態に係る撮像装置の一例を示す断面図である。
【発明を実施するための形態】
【００１３】
以下、本発明の実施の形態を図面を参照して説明する。
図１は、本発明の実施の形態に係る撮像光学系の光学構成の一例を示す無限遠物点合焦時の光軸に沿う断面図である。図１の光学構成は、後述の第１の実施例の光学構成に対応している。
【００１４】
この撮像光学系は、図１に示すように、物体側より順に、開口絞りＳと、正の屈折力を有する第１レンズＬ１と、負の屈折力を有する第２レンズＬ２と、正の屈折力を有する第３レンズＬ３と、負の屈折力を有する第４レンズＬ４を有している。なお、以下全ての実施例において、光学構成断面図中、ＣＧはカバーガラス、Ｉは撮像素子の撮像面を示す。
【００１５】
図９は、本実施の形態に係る撮像装置としてのカメラモジュールの概略的な構成を示す断面斜視図である。
図９に示すようにカメラモジュール１００は、レンズ１０、２０、及び３０からなる各固定レンズ群と、これらの各固定レンズ群を位置決し、且つ保持する鏡枠５０と、この鏡枠５０の先端側である物体側に配置される可動レンズ４０と、この可動レンズ４０をフォーカスレンズとして光軸方向に移動させるアクチュエータ６０と、鏡枠５０の背面側である像側に配置される撮像素子７０と、これらを収めるハウジング８０と、ハウジング８０の背面側開口を塞ぐ基部９０とを有する。
【００１６】
オートフォーカス機構としてのアクチュエータ６０は、固定レンズ１０より物体側であって、可動レンズ４０の外周に配置される。
【００１７】
本発明におけるアクチュエータ６０として、可動レンズ４０を静電気力で移動させるＭＥＭＳ（Ｍｉｃｒｏ  Ｅｌｅｃｔｒｏ  Ｍｅｃｈａｎｉｃａｌ  Ｓｙｓｔｅｍｓ）アクチュエータを例に説明する。
【００１８】
ＭＥＭＳアクチュエータの構成としては、特に限定されず、公知の構成とすることができるが、例えば、特開２０１２−８５６９号に開示されるように、可動レンズが固定されるレンズマウント部（図示せず）と、レンズマウント部を介して可動レンズを光軸方向に移動させるための静電気力を発生させるコーム状（櫛状）の電極を有する駆動部（図示せず）を含むアクチュエータ基部とを備えている。
【００１９】
そして、所定の制御電圧をこのコーム状の電極に印加すると、レンズマウント部を介して可動レンズが上昇させられる。一方、駆動部への電圧の印加を停止すると、レンズの自重により可動レンズは下降する。また、例えば、携帯電話などにおいて、カメラ機能が起動された場合には、所定のスタンバイ電圧がＭＥＭＳアクチュエータに印加され、撮影時には、更に、所定のオートフォーカス制御電圧が印加されて、可動レンズを任意の位置に駆動してオートフォーカスが実現される。
【００２０】
なお、アクチュエータ６０としては、ＭＥＭＳアクチュエータに特に限定されることはなく、たとえば、公知の電磁誘導によりムービングマグネットを移動させるいわゆるボイスコイル方式のアクチュエータなどを用いることができる。
【００２１】
この撮像光学系の撮像面Ｉには、ＣＣＤ等の撮像素子が配置される。そして第５レンズＬ５と撮像素子との間には、レンズを装着するカメラ側の構成に応じて、種々の光学部材が配置されてもよい。例えば、撮像面保護用のカバーガラスや赤外線カットフィルタなどの平板状の光学部材が配置されていてもよい。
【００２２】
本実施の形態の撮像光学系は、以下の条件式を満足するものである。
２．０＜ｒ５/ｆ＜６．０           （１）
０．１０＜ｄ７/ｆ＜０．２０             （２）
ここで、
ｒ５は第２レンズの像面側の曲率半径、
ｄ７は第３レンズと第４レンズの光軸上の空気間隔、
ｆは撮像光学系全系の焦点距離
である。
【００２３】
条件式（１）は、撮像光学系全系の焦点距離に対する第２レンズの曲率半径を適切に設定し、撮像光学系の光学全長の短縮化と、良好な収差補正の両立を可能とするための条件式である。
条件式（１）の下限値を下回ると、第２レンズの像側の曲率半径が小さくなりすぎる為、軸上色収差や球面収差の補正が困難となる。
また、条件式（１）の上限値を上回ると、第２レンズからの光線の射出角度が制限され、撮像光学系の光学全長短縮化が困難となる。また、第２レンズより後ろ側での光線高の分離が困難となり、像面湾曲の補正が困難となる。
【００２４】
また、条件式（１）の数値範囲は、以下の条件式の数値範囲であることがより望ましい。
２．２＜ｒ５/ｆ＜５．５           （１Ａ）
【００２５】
条件式（２）は、撮像光学系全系の焦点距離に対する第３レンズと第４レンズとの間の間隔を適切に設定し、条件式（１）との関係において、撮像光学系の光学全長の短縮化と、良好な収差補正の両立を可能とするための条件式である。
条件式（２）の下限値を下回ると、焦点距離に対して第３レンズと第４レンズとの間隔が狭くなる為、第４レンズ到達時の光線高が低くなり、像面湾曲及び歪曲収差の補正が困難となる。
また、条件式（２）の上限値を上回ると、撮像光学系の光学全長短縮化が困難となる。
【００２６】
また、条件式（２）の数値範囲は、以下の条件式の数値範囲であることがより望ましい。
０．１４＜ｄ７/ｆ＜０．１６             （２Ａ）
【００２７】
また、本実施の形態の撮像光学系は、以下の条件式を満足することが好ましい。
−０．７＜（ｒ４＋ｒ５）／（ｒ４−ｒ５）＜−０．１     （３）
ここで、
ｒ４は第２レンズの物体側の曲率半径、
ｒ５は第２レンズの像側の曲率半径
である。
【００２８】
条件式（３）は、球面収差を良好に補正すると共に、コマ収差の発生を抑制する為の条件式である。
【００２９】
また、本発明の撮像光学系は、フォーカス時に第１レンズのみを光軸方向に移動させる撮像装置に好適である。このようなフォーカス方法によれば、第４レンズと像面との間の距離を常に一定とすることが可能となり、また、フォーカス時のレンズ移動量を撮像光学系全体を移動させるものに対して小さくできる。
【００３０】
また、本発明の撮像光学系は、オートフォーカス機構が第２レンズより物体側の第１の外周に配置される撮像装置に好適である。従って、本発明の撮像装置は、オートフォーカス機構を含むカメラモジュール全体として小型化を図ることが可能となる。
【実施例】
【００３１】
次に本発明の撮像光学系の具体的な数値実施例を示す。各実施例において使用する記号は下記の通りである。
【００３２】
ｆ      ：撮像光学系全系の焦点距離
ＦＮＯ  ：Ｆナンバー
２Ｙ    ：撮像素子の撮像面対角線長
ｒ      ：近軸曲率半径
ｄ      ：光軸上のレンズの厚み又は空気間隔
ｎｄ    ：レンズ材料のｄ線に対する屈折率
νｄ    ：レンズ材料のアッベ数
また、各実施例において、各面番号の後に「＊」が記載されている面が非球面形状を有する面である。
【００３３】
また、非球面形状は、光軸方向をｚ、光軸に直交する方向をｙにとり、円錐係数をＫ、非球面係数をＡ４、Ａ６、Ａ８、Ａ１０・・としたとき、次の式（Ｉ）で表される。
ｚ＝（ｙ２／ｒ）／［１＋｛１−（１＋Ｋ）（ｙ／ｒ）２｝１／２］＋Ａ４ｙ４＋Ａ６ｙ６＋Ａ８ｙ８＋Ａ１０ｙ１０  ・・・（Ｉ）
なお、非球面係数において、Ｅは１０のべき乗数を示し、例えば、２．３×１０−２は、２．３Ｅ−００２と表すものとする。また、これら諸元値の記号は後述の実施例の数値データにおいても共通である。
【００３４】
（実施例１）
次に、実施例１に係る撮像光学系について説明する。
図１は、実施例１に係る撮像光学系の光学構成を示す無限遠物点合焦時の光軸に沿う断面図である。
【００３５】
図２は、実施例１にかかるズームレンズの無限遠物点合焦時における（ａ）球面収差（ＳＡ）、（ｂ）非点収差（ＡＳ）、（ｃ）歪曲収差（ＤＴ）を示す図である。また、ＦＩＹは像高を示している。なお、収差図における記号は、後述の実施例においても共通である。
【００３６】
この撮像光学系は、図１に示すように、物体側より順に、開口絞りＳと、両凸形状の正の屈折力を有する第１レンズＬ１と、両凹形状の負の屈折力を有する第２レンズＬ２と、物体側に凹面を向けたメニスカス形状の正の屈折力を有する第３レンズＬ３と、両凹形状の負の屈折力を有する第４レンズＬ４を有している。
【００３７】
実施例１の撮像光学系の全体諸元を以下に示す。
ｆ      ：２．９４ｍｍ
ＦＮＯ  ：２．４０
２Ｙ    ：４．７８ｍｍ
実施例１の撮像光学系の面データを以下に示す。
単位ｍｍ
面データ
面番号    r         
d          nd        νd       有効半径（ｍｍ）           
物面     ∞         ∞                          
1(絞り)∞        -0.0700                            0.61                       
2*    1.5959      0.5564     1.53116     56.04      0.71                      
3*   -5.6768      0.1500                           
0.80                      
4*   -4.5397      0.3345     1.63549     23.91      0.85                      
5*   10.7385      0.4325                           
0.90                      
6*   -3.1248      0.5406     1.53116     56.04      1.03                      
7*   -0.9382      0.4730                           
1.19                      
8* -1000.0000     0.3106     1.53116     55.04      1.88                      
9*   -1.0042      0.6264                            2.11                      
10     ∞    
2.39                      
11     ∞                                           2.41                      
像面（撮像面） ∞                                       
非球面データ
第２面
K=-4.71324E+000
A4=5.62634E-002,A6=1.81549E-001,A8=-8.24355E-001,A10=7.65080E-001 
第３面
K=-5.14909E-001
A4=2.86999E-002,A6=-6.38709E-001,A8=1.69726E+000,A10=-1.52208E+000
第４面
K=-9.89129E+000
A4=1.41564E-001,A6=-6.26650E-001,A8=1.46757E+000,A10=-6.34308E-001,A12=-4.15186E-001
第５面
K=-9.17381E+000
A4=2.11464E-001,A6=-3.81422E-001,A8=4.49983E-001,A10=-7.10156E-002
第６面
K=-6.87632E+000
A4=4.64932E-002,A6=3.59144E-002,A8=-3.47409E-001,A10=-1.52637E-001,A12=1.76508E+000,A14=-2.44515E+000,A16=1.07500E+000
第７面
K=-2.83507E+000
A4=-2.92613E-002,A6=1.21736E-002,A8=-8.63472E-002,A10=1.22901E-001,A12=1.37361E-002,A14=-4.11590E-002,A16=7.47844E-003
第８面
K=-7.86213E+000
A4=-2.44835E-001,A6=9.65616E-002,A8=1.27299E-002,A10=-1.11380E-002,A12=3.30339E-004,A14=5.63334E-004,A16=-7.59147E-005
第９面
K=-5.91742E+000
A4=-1.68759E-001,A6=9.38833E-002,A8=-3.70385E-002,A10=9.29325E-003,A12=-1.45202E-003,A14=1.32849E-004,A16=-5.42528E-006
実施例１の撮像光学系の条件式（１）〜（３）に対応する値を以下に示す。
（１）ｒ５/ｆ＝３．６６
（２）ｄ７/ｆ＝０．１６
（３）（ｒ４＋ｒ５）／（ｒ４−ｒ５）＝−０．４１
実施例１において、全てのレンズはプラスチック材料から形成されている。
【００３８】
（実施例２）
次に、実施例２に係る撮像光学系について説明する。
図３は、実施例２に係る撮像光学系の光学構成を示す無限遠物点合焦時の光軸に沿う断面図である。
【００３９】
図４は、実施例２にかかるズームレンズの無限遠物点合焦時における収差図（ａ）球面収差（ＳＡ）、（ｂ）非点収差（ＡＳ）、（ｃ）歪曲収差（ＤＴ）を示す図である。
【００４０】
この撮像光学系は、図３に示すように、物体側より順に、開口絞りＳと、両凸形状の正の屈折力を有する第１レンズＬ１と、両凹形状の負の屈折力を有する第２レンズＬ２と、物体側に凹面を向けたメニスカス形状の正の屈折力を有する第３レンズＬ３と、両凹形状の負の屈折力を有する第４レンズＬ４を有している。
【００４１】
実施例２の撮像光学系の全体諸元を以下に示す。
ｆ      ：２．９４ｍｍ
ＦＮＯ  ：２．４０
２Ｙ    ：４．８２ｍｍ
実施例２の撮像光学系の面データを以下に示す。
単位ｍｍ
面データ
面番号    r         
d          nd         νd        有効半径（ｍｍ）         
物面     ∞         ∞                                     
1(絞り)  ∞        -0.0700                             0.62                    
2*      1.4337      0.6142     1.53116     56.04       0.75                   
3*     -8.8957      0.0881                            
0.82                   
4*     -5.2411      0.3200     1.63549     23.91       0.84                   
5*      6.5708      0.4493         
0.88                   
6*     -3.3487      0.5664     1.53116     56.04       1.03                   
7*     -0.9225      0.4458                            
1.19                   
8*    -55.9663      0.3181     1.53116     55.04       1.92                   
9*     -1.0052      0.6211                             2.14                   
10      ∞                                            
2.43                   
11      ∞                                             2.46                   
像面（撮像面）∞                               
非球面データ
第２面
K=-3.04900E+000
A4=7.89456E-002,A6=1.82930E-001,A8=-5.77865E-001,A10=5.34530E-001 
第３面
K=-3.69271E+000
A4=6.11774E-002,A6=-6.22268E-001,A8=1.69174E+000,A10=-1.26262E+000
第４面
K=-1.00193E+001
A4=1.23658E-001,A6=-7.15418E-001,A8=1.58813E+000,A10=-4.29520E-001,A12=-6.49852E-001
第５面
K=-2.77458E+000
A4=1.89068E-001,A6=-3.48584E-001,A8=3.95159E-001,A10=-1.25965E-002
第６面
K=-8.29512E+000
A4=1.92763E-002,A6=4.41792E-002,A8=-3.26479E-001,A10=-1.43140E-001,A12=1.70257E+000,A14=-2.40972E+000,A16=1.07500E+000
第７面
K=-2.69304E+000
A4=-4.00738E-002,A6=4.32747E-003,A8=-8.75477E-002,A10=1.22348E-001,A12=1.14350E-002,A14=-4.17763E-002,A16=1.03493E-002
第８面
K=-2.22836E-001
A4=-2.47429E-001,A6=9.79133E-002,A8=1.28470E-002,A10=-1.11849E-002,A12=3.15078E-004,A14=5.63274E-004,A16=-7.50035E-005
第９面
K=-6.01997E+000
A4=-1.70062E-001,A6=9.40931E-002,A8=-3.70037E-002,A10=9.28091E-003,A12=-1.45312E-003,A14=1.33336E-004,A16=-5.42645E-006
実施例２の撮像光学系の条件式（１）〜（３）に対応する値を以下に示す。
（１）ｒ５/ｆ＝２．２３
（２）ｄ７/ｆ＝０．１５
（３）（ｒ４＋ｒ５）／（ｒ４−ｒ５）＝−０．１１
実施例２において、全てのレンズはプラスチック材料から形成されている。
【００４２】
（実施例３）
次に、実施例３に係る撮像光学系について説明する。
図５は、実施例３に係る撮像光学系の光学構成を示す無限遠物点合焦時の光軸に沿う断面図である。
【００４３】
図６は、実施例３にかかるズームレンズの無限遠物点合焦時における収差図（ａ）球面収差（ＳＡ）、（ｂ）非点収差（ＡＳ）、（ｃ）歪曲収差（ＤＴ）を示す図である。
【００４４】
この撮像光学系は、図５に示すように、物体側より順に、開口絞りＳと、両凸形状の正の屈折力を有する第１レンズＬ１と、両凹形状の負の屈折力を有する第２レンズＬ２と、物体側に凹面を向けたメニスカス形状の正の屈折力を有する第３レンズＬ３と、両凹形状の負の屈折力を有する第４レンズＬ４を有している。
【００４５】
実施例３の撮像光学系の全体諸元を以下に示す。
ｆ      ：３．０２ｍｍ
ＦＮＯ  ：２．４０
２Ｙ    ：４．６４ｍｍ
実施例３の撮像光学系の面データを以下に示す。
単位ｍｍ
面データ
面番号    r         
d          nd       νd        有効半径（ｍｍ）                  
物面     ∞         ∞                                  
1(絞り)  ∞        -0.0700                     
0.63                    
2*      1.4846      0.6544     1.53450     57.09       0.70                   
3*     -5.3849      0.0965                            
0.79                   
4*     -3.3276      0.2900     1.61422     25.58       0.81                   
5*     16.0405      0.4330                             0.84                   
6*     -3.8435      0.5207     1.53116     57.09       0.99                   
7*     -1.0299      0.4787                            
1.15                   
8*     -3.7310      0.3449     1.53450     55.09       1.71                   
9*     -1.3964      0.5597                             1.97                   
10       ∞                                           
2.30                   
11       ∞                                           
2.34                   
像面（撮像面）∞                                        
非球面データ
第２面
K=-2.88776E+000
A4=6.37514E-002,A6=6.76536E-002,A8=-3.62835E-001,A10=2.36831E-001
第３面
K=7.74217E-003
A4=-5.02324E-002,A6=-3.32298E-001,A8=8.60493E-001,A10=-7.15319E-001
第４面
K=-5.59516E+000
A4=9.18910E-002,A6=-6.53231E-001,A8=1.61893E+000,A10=-7.32480E-001,A12=-3.67824E-001
第５面
K=-3.10985E+000
A4=1.86820E-001,A6=-3.50621E-001,A8=4.57511E-001,A10=-2.33459E-002
第６面
K=6.96833E-002
A4=3.20881E-002,A6=4.63367E-002,A8=-3.85441E-001,A10=-4.12309E-003,A12=1.73992E+000,A14=-2.77931E+000,A16=1.32995E+000
第７面
K=-2.95993E+000
A4=-2.45214E-002,A6=8.09639E-003,A8=-4.61078E-002,A10=1.35980E-001,A12=-7.60532E-003,A14=-6.31429E-002,A16=2.20040E-002
第８面
K=-1.72777E+000
A4=-1.78185E-001,A6=7.60613E-002,A8=1.72774E-002,A10=-1.15951E-002,A12=2.61461E-004,A14=5.39536E-004,A16=-6.49147E-005
第９面
K=-9.09350E+000
A4=-1.52066E-001,A6=8.59086E-002,A8=-3.58908E-002,A10=9.24624E-003,A12=-1.51206E-003,A14=1.37017E-004,A16=-4.10076E-006
実施例３の撮像光学系の条件式（１）〜（３）に対応する値を以下に示す。
（１）ｒ５/ｆ＝５．３２
（２）ｄ７/ｆ＝０．１６
（３）（ｒ４＋ｒ５）／（ｒ４−ｒ５）＝−０．６６
実施例３において、全てのレンズはプラスチック材料から形成されている。
【００４６】
（実施例４）
次に、実施例４に係る撮像光学系について説明する。
図７は、実施例４に係る撮像光学系の光学構成を示す無限遠物点合焦時の光軸に沿う断面図である。
【００４７】
図８は、実施例４にかかるズームレンズの無限遠物点合焦時における収差図（ａ）球面収差（ＳＡ）、（ｂ）非点収差（ＡＳ）、（ｃ）歪曲収差（ＤＴ）を示す図である。
【００４８】
この撮像光学系は、図７に示すように、物体側より順に、開口絞りＳと、両凸形状の正の屈折力を有する第１レンズＬ１と、両凹形状の負の屈折力を有する第２レンズＬ２と、物体側に凹面を向けたメニスカス形状の正の屈折力を有する第３レンズＬ３と、両凹形状の負の屈折力を有する第４レンズＬ４を有している。
【００４９】
実施例４の撮像光学系の全体諸元を以下に示す。
ｆ      ：２．９７ｍｍ
ＦＮＯ  ：２．４０
２Ｙ    ：４．７２ｍｍ
実施例４の撮像光学系の面データを以下に示す。
単位ｍｍ
面データ
面番号    r         
d          nd       νd          有効半径（ｍｍ）         
物面     ∞         ∞                                     
1(絞り)  ∞        -0.0700                              0.62                   
2*      1.4896      0.5819     1.53450     57.09        0.69                  
3*     -7.3993      0.1258                          
0.77                  
4*     -4.6165      0.2900     1.61422     25.58        0.79                  
5*      9.0279   
0.4713                          
0.83                  
6*     -2.7636      0.4853     1.53450     57.09        0.96                  
7*     -0.8904      0.4177                          
1.11                  
8*     -9.0987      0.3207     1.53450     55.09        1.86                  
9*     -1.1396      0.5922                              2.05                  
10       ∞                                            
2.33                  
11       ∞
2.37                  
像面（撮像面）∞                                        
非球面データ
第２面
K=-3.13408E+000
A4=6.33045E-002,A6=7.65966E-002,A8=-4.44445E-001,A10=3.29094E-001
第３面
K=-1.00005E+001
A4=-4.20500E-002,A6=-4.01131E-001,A8=9.99751E-001,A10=-9.08648E-001
第４面
K=-9.96204E+000
A4=1.05109E-001,A6=-7.85547E-001,A8=1.91739E+000,A10=-1.05534E+000,A12=-2.92973E-001
第５面
K=-1.00000E+001
A4=1.94984E-001,A6=-4.08586E-001,A8=5.28177E-001,A10=-6.30988E-002
第６面
K=1.72054E-002
A4=4.86331E-002,A6=1.96959E-002,A8=-4.56262E-001,A10=3.56119E-002,A12=2.41039E+000,A14=-4.13710E+000,A16=2.07337E+000
第７面
K=-3.00270E+000
A4=-7.28333E-002,A6=2.86170E-004,A8=-5.01302E-002,A10=1.84579E-001,A12=-7.89704E-003,A14=-9.42181E-002,A16=3.36943E-002
第８面
K=5.57794E-004
A4=-2.02992E-001,A6=8.34839E-002,A8=2.11834E-002,A10=-1.47858E-002,A12=4.53073E-004,A14=7.84048E-004,A16=-1.09344E-004
第９面
K=-7.61271E+000
A4=-1.57721E-001,A6=9.49968E-002,A8=-4.37018E-002,A10=1.23150E-002,A12=-2.05286E-003,A14=1.99509E-004,A16=-9.83587E-006
実施例４の撮像光学系の条件式（１）〜（３）に対応する値を以下に示す。
（１）ｒ５/ｆ＝３．０４３
（２）ｄ７/ｆ＝０．１４
（３）（ｒ４＋ｒ５）／（ｒ４−ｒ５）＝−０．３２
実施例４において、全てのレンズはプラスチック材料から形成されている。
【符号の説明】
【００５０】
Ｌ１    第１レンズ
Ｌ２    第２レンズ
Ｌ３    第３レンズ
Ｌ４    第４レンズ
ＣＧ    カバーガラス
Ｉ      撮像面
Ｓ      開口絞り
１０    固定レンズ
２０    固定レンズ
３０    固定レンズ
４０    可動レンズ（フォーカシングレンズ）
５０    鏡枠
６０    アクチュエータ
７０    撮像素子
９０    基部
１００  カメラモジュール
８０  ハウジング
【図１】
2014142554.tif 000003
【図２】
2014142554.tif 000004
【図３】
2014142554.tif 000005
【図４】
2014142554.tif 000006
【図５】
2014142554.tif 000007
【図６】
2014142554.tif 000008
【図７】
2014142554.tif 000009
【図８】
2014142554.tif 000010
【図９】
2014142554.tif 000011